(57)【要約】【課題】過去のプレーの際の出来事等を容易に想起する。【解決手段】  記録再生装置１は、映像を撮影する撮像部４と、音声を収音する音声入力部５と、映像及び／又は音声からなるＡＶデータを記録する記録部７と、ＧＰＳ信号に基づき現在地の位置情報を取得するＧＰＳ受信部９と、ゴルフコース情報に基づくゴルフコースを表示する表示部３と、全体を制御する制御部２０とを備える。  制御部２０は、取得した位置情報に基づき、プレイヤーの移動経路を示す移動経路情報を生成し、移動経路情報に基づく移動経路を表示部３に表示されたゴルフコース上に重畳させて表示し、記録部７に記録されたＡＶデータと位置情報とを関連付け、記録されたＡＶデータに関連付けられた位置情報に基づき、移動経路上に記録されたＡＶデータが存在することを表示する。【選択図】図２
2015217010.tif 000002
【特許請求の範囲】
【請求項１】
映像を撮影する撮像部と、
音声を収音する音声入力部と、
映像及び／又は音声からなるＡＶデータを記録する記録部と、
ＧＰＳ信号に基づき現在地の位置情報を取得する位置情報取得部と、
ゴルフコース情報に基づくゴルフコースを表示する表示部と、
全体を制御する制御部とを備え、
前記制御部は、
取得した前記位置情報に基づき、プレイヤーの移動経路を示す移動経路情報を生成し、
前記移動経路情報に基づく移動経路を前記表示部に表示された前記ゴルフコース上に重畳させて表示し、
前記記録部に記録された前記ＡＶデータと前記位置情報とを関連付け、
前記記録されたＡＶデータに関連付けられた前記位置情報に基づき、前記移動経路上に前記記録されたＡＶデータが存在することを表示することを特徴とする記録再生装置。
【請求項２】
前記記録されたＡＶデータが存在することを示す表示は、文字による表示であることを特徴とする請求項１に記載の記録再生装置。
【請求項３】
前記記録されたＡＶデータが存在することを示す表示は、前記ＡＶデータに基づくサムネイル表示であることを特徴とする請求項１に記載の記録再生装置。
【請求項４】
ネットワークを介して外部に設けられたサーバと通信を行う通信部をさらに備え、
前記制御部は、前記通信部を介して前記サーバから前記ゴルフコース情報を受信することを特徴とする請求項１、２又は３に記載の記録再生装置。
【請求項５】
前記ゴルフコース情報は、前記記録部に予め記録され、
前記制御部は、前記記録部から前記ゴルフコース情報を読み出すことを特徴とする請求項１、２又は３に記載の記録再生装置。
【請求項６】
前記制御部は、前記プレイヤーのゴルフスコアを示すゴルフスコア情報を前記記録部に記録することを特徴とする請求項１乃至５のいずれかに記載の記録再生装置。
【請求項７】
前記制御部は、前記プレイヤーのゴルフスコアを示すゴルフスコア情報を前記サーバに記録することを特徴とする請求項４に記載の記録再生装置。
【請求項８】
ネットワークを介して外部に設けられたサーバと通信を行う通信部をさらに備え、
前記制御部は、前記プレイヤーのゴルフスコアを示すゴルフスコア情報を前記サーバに記録することを特徴とする請求項１、２、３又は５に記載の記録再生装置。
【請求項９】
前記プレイヤーの操作に基づく操作信号を出力する操作部をさらに備え、
前記制御部は、前記プレイヤーの前記操作部に対する操作に基づき、前記ＡＶデータの記録を制御することを特徴とする請求項１乃至８のいずれかに記載の記録再生装置。
【請求項１０】
前記プレイヤーの操作に基づく操作信号を出力する操作部をさらに備え、
前記制御部は、ＡＶデータを常時記録し、前記プレイヤーの前記操作部に対する操作に基づき、前記記録されたＡＶデータの中から所定区間を抽出して記録することを特徴とする請求項１乃至８のいずれかに記載の記録再生装置。
【請求項１１】
前記プレイヤーの操作に基づく操作信号を出力する操作部をさらに備え、
前記制御部は、ＡＶデータを常時記録し、所定の特徴を検出した場合に、該特徴を検出した時点を含む所定区間のデータを抽出して記録することを特徴とする請求項１乃至８のいずれかに記載の記録再生装置。
【発明の詳細な説明】
【技術分野】
【０００１】
本発明は、記録再生装置に関し、特に、記録されたＡＶデータが存在することを移動経路上に表示させる装置に関する。
【背景技術】
【０００２】
従来、過去のゴルフプレーに関する情報としては、スコア（打数）が記録された紙媒体であるスコアカード程度しかなかった。スコアカードには、単なる数値が羅列されるだけであるため、スコアカードを見直しただけでは、当時のプレーの際の出来事等を思い返すことが困難であった。
【０００３】
一方、最近では、スマートフォンやタブレット等の多機能な携帯端末が普及し、このような携帯端末では、搭載されたアプリケーションを用いてスコアを記録することができる（例えば、特許文献１）。
【０００４】
また、このような携帯端末は、カメラやマイクロフォンが搭載され、これらを用いることでプレー時のスイング等を撮影したり周囲の音声を録音することも可能であるため、記録された映像や音声を視聴することにより、当時のプレーの際の出来事等をある程度思い返すことができる。
【先行技術文献】
【特許文献】
【０００５】
【特許文献１】特開２００３−５２８８３号公報
【発明の概要】
【発明が解決しようとする課題】
【０００６】
しかし、従来の携帯端末を用いた場合でも、記録された映像や音声がプレー中のどの地点やタイミングで記録されたものかを確認することができないため、過去のプレーの際の出来事等を詳細に思い返すことが困難であるという問題があった。
【０００７】
そこで、本発明は、上記従来の技術における問題点に鑑みてなされたものであって、過去のプレーの際の出来事等を容易に想起することが可能な記録再生装置を提供することを目的とする。
【課題を解決するための手段】
【０００８】
上記目的を達成するため、本発明の記録再生装置は、映像を撮影する撮像部と、音声を収音する音声入力部と、映像及び／又は音声からなるＡＶデータを記録する記録部と、ＧＰＳ（Global Positioning System）信号に基づき現在地の位置情報を取得する位置情報取得部と、ゴルフコース情報に基づくゴルフコースを表示する表示部と、全体を制御する制御部とを備え、前記制御部は、取得した前記位置情報に基づき、プレイヤーの移動経路を示す移動経路情報を生成し、前記移動経路情報に基づく移動経路を前記表示部に表示された前記ゴルフコース上に重畳させて表示し、前記記録部に記録された前記ＡＶデータと前記位置情報とを関連付け、前記記録されたＡＶデータに関連付けられた前記位置情報に基づき、前記移動経路上に前記記録されたＡＶデータが存在することを表示することを特徴とする。
【０００９】
そして、本発明によれば、ゴルフコース上に移動経路及びＡＶデータが存在することを表示するため、過去のプレーでの通過経路や、その際の出来事等を容易に想起することができる。
【００１０】
上記記録再生装置において、前記記録されたＡＶデータが存在することを示す表示を、文字による表示とすることができる。これにより、移動経路中に記録されたＡＶデータが存在することをプレイヤーに対して容易に通知することができる。
【００１１】
上記記録再生装置において、前記記録されたＡＶデータが存在することを示す表示を、前記ＡＶデータに基づくサムネイル表示とすることができる。これにより、移動経路中に記録されたＡＶデータが存在することをプレイヤーに対して容易に通知することができる。
【００１２】
上記記録再生装置において、ネットワークを介して外部に設けられたサーバと通信を行う通信部をさらに備え、前記制御部は、前記通信部を介して前記サーバから前記ゴルフコース情報を受信することができる。これにより、ゴルフコース情報を記録再生装置自体に記録する必要がないため、記録部の記録領域の利用を抑制することができる。
【００１３】
上記記録再生装置において、前記ゴルフコース情報を前記記録部に予め記録し、前記制御部は、前記記録部から前記ゴルフコース情報を読み出すことができる。これにより、外部のサーバとの通信が不可能である場合にも、ゴルフコース情報を容易に利用することができる。
【００１４】
上記記録再生装置において、前記制御部は、前記プレイヤーのゴルフスコアを示すゴルフスコア情報を前記記録部に記録することができる。これにより、外部のサーバとの通信が不可能である場合にも、ゴルフスコア情報を容易に利用することができる。
【００１５】
上記記録再生装置において、前記制御部は、前記プレイヤーのゴルフスコアを示すゴルフスコア情報を前記サーバに記録することができる。これにより、ゴルフスコア情報を記録再生装置自体に記録する必要がないため、記録部の記録領域の利用を抑制することができる。
【００１６】
上記記録再生装置において、前記プレイヤーの操作に基づく操作信号を出力する操作部をさらに備え、前記制御部は、前記プレイヤーの前記操作部に対する操作に基づき、前記ＡＶデータの記録を制御することができる。これにより、プレイヤーの所望の地点でＡＶデータを記録することができる。
【００１７】
上記記録再生装置において、前記プレイヤーの操作に基づく操作信号を出力する操作部をさらに備え、前記制御部は、ＡＶデータを常時記録し、前記プレイヤーの前記操作部に対する操作に基づき、前記記録されたＡＶデータの中から所定区間を抽出して記録することができる。これにより、プレイヤーの所望のＡＶデータを抽出して記録することができる。
【００１８】
上記記録再生装置において、前記プレイヤーの操作に基づく操作信号を出力する操作部をさらに備え、前記制御部は、ＡＶデータを常時記録し、所定の特徴を検出した場合に、該特徴を検出した時点を含む所定区間のデータを抽出して記録することができる。これにより、プレー中の特徴的な区間のＡＶデータを自動的に抽出して記録することができる。
【発明の効果】
【００１９】
以上のように、本発明によれば、過去のプレーの際の出来事等を容易に想起することが可能になる。
【図面の簡単な説明】
【００２０】
【図１】本発明に係る記録再生装置の一実施の形態を示す外観図である。
【図２】図１の記録再生装置の構成の一例を示すブロック図である。
【図３】ＡＶデータを手動で記録する場合の処理の流れについて説明するためのフローチャートである。
【図４】ＡＶデータを自動的に記録し、プレイヤーによって指定された区間を抽出して記録する場合の処理の流れについて説明するためのフローチャートである。
【図５】ＡＶデータを自動的に記録し、特徴を検出した場合に、当該検出区間を抽出して記録する場合の処理の流れについて説明するためのフローチャートである。
【図６】記録再生装置の記録動作について説明するためのフローチャートである。
【図７】移動経路の表示について説明するための概略図である。
【図８】記録再生装置の再生動作について説明するためのフローチャートである。
【発明を実施するための形態】
【００２１】
次に、本発明を実施するための形態について、図面を参照しながら詳細に説明する。
【００２２】
図１は、本発明に係る記録再生装置の一実施の形態を示す外観図であり、この記録再生装置１は、例えば直方体状に形成された装置本体２を備える。装置本体２には、メニュー画面やゴルフコース画面等を表示するための表示部３と、ユーザの前方の景色を撮影するための撮像部４と、周囲の音声を収音する音声入力部５と、各種入力や画面切り替えを行う際に操作する操作部６とが設けられる。尚、以下では、この記録再生装置１をゴルフをプレーする際に用いた場合を例にとって説明する。
【００２３】
図２は、図１に示す記録再生装置１の構成の一例を示す。図２に示すように、記録再生装置１は、大別して、撮像部４、音声入力部５、表示部３、操作部６、記録部７、通信部８、ＧＰＳ受信部９、ＧＰＳアンテナ９ａ、計時部１０、制御部２０で構成される。
【００２４】
撮像部４は、例えばカメラであり、ＣＣＤ（Charge Coupled Devices）やＣＭＯＳ（Complementary Metal-Oxide Semiconductor）イメージセンサ等の撮像素子に受光された光を撮像信号に変換する。そして、この撮像信号に対してガンマ補正やホワイトバランス調整といった所定の信号処理を施し、静止画である画像データや動画である映像データを生成して出力する。尚、撮像部からは撮像信号を出力し、後述の制御部２０で撮像信号に対して所定の信号処理を行うようにしてもよい。
【００２５】
音声入力部５は、例えばマイクロフォンであり、周囲の音声を収音し、音声データとして出力する。
【００２６】
表示部３は、例えばＬＣＤ（Liquid Crystal Display）や有機ＥＬ（Electro Luminescence）ディスプレイからなり、ゴルフコース画面やゴルフスコア画面、メニュー画面等を表示する。表示部３としては、例えば、ＬＣＤや有機ＥＬディスプレイ上にタッチセンサを有するタッチパネルが積層されたタッチパネルディスプレイを用いることができる。
【００２７】
操作部６は、この記録再生装置１をユーザが操作するための操作子が所定に設けられ、操作子に対する操作に応じた制御信号を出力する。操作子としては、例えば、記録再生装置１の電源をＯＮ／ＯＦＦするための電源キーや、各種の設定や操作を行うためのキー等が設けられる。これらの各種キーは、例えば、記録再生装置１の筐体にハードウェアキーとして設けるようにしてもよいし、表示部３がタッチパネルディスプレイの場合には、各種キーがソフトウェアキーとして表示部３に表示されるようにしてもよい。
【００２８】
具体的には、操作部６は、例えば画像データ、映像データ及び音声データ（以下、総称して「ＡＶ（Audio/Video）データ」という。）等の記録の開始や終了を行う場合や、ゴルフスコアを記録する場合等に操作される。
【００２９】
記録部７は、例えばＨＤＤ（Hard Disc Drive）やフラッシュメモリであり、撮像部４及び／又は音声入力部５から出力されたＡＶデータを記録する。尚、後述するように、例えば、ゴルフコースデータやゴルフスコアデータを記録部７に記録してもよい。
【００３０】
通信部８は、所定のプロトコルに従って外部のサーバとの無線通信を行い、後述の制御部２０による制御に基づき、ネットワークを介してサーバからゴルフコースデータや過去のプレー時のゴルフスコアデータ等を受信する。これにより、ゴルフコースデータやゴルフスコアデータを記録再生装置１自体に記録する必要がなくなるため、記録部７の記録領域の利用を抑制することができる。
【００３１】
尚、ゴルフコースデータ及びゴルフスコアデータは、この例に限られず、例えば、記録部７に予め記録するようにしてもよい。これにより、通信部８による通信が不可能である場合にも、ゴルフコースデータやゴルフスコアデータを容易に利用することができる。
【００３２】
ＧＰＳ受信部９は、ＧＰＳ衛星からのＧＰＳ信号をＧＰＳアンテナ９ａを介して受信し、制御部２０に供給する。計時部１０は、例えば、水晶振動子の発振周波数に基づき、記録再生装置１の現在の時刻情報を生成することができる。計時部１０は、図示されないバッテリーにより常時駆動される。
【００３３】
制御部２０は、この記録再生装置１の全体を制御し、入力制御部２１、表示制御部２２、移動経路処理部２３、撮像・収音制御部２４、記録制御部２５、情報取得部２６及び通信制御部２７を有する。
【００３４】
入力制御部２１は、操作部６から供給されるユーザの操作に応じた制御信号に基づき入力内容や選択内容を判別し、操作信号を出力する。
【００３５】
表示制御部２２は、表示部３への画像表示を制御する。例えば、表示制御部２２は、外部のサーバから受信したゴルフコースデータに基づいてゴルフコース画像を生成したり、同様に受信したゴルフスコアデータに基づいてゴルフスコア画像を生成する。また、表示制御部２２は、操作部６に対するユーザ操作に応じて表示部３の表示画面を切り替える処理等を行う。
【００３６】
移動経路処理部２３は、ＧＰＳ受信部９で受信したＧＰＳ信号を定期的に取得し、このＧＰＳ信号に基づき、プレイヤーの位置（緯度、経度）を示す位置情報を生成する。そして、移動経路処理部２３は、生成した位置情報に基づいてプレイヤーの移動経路を生成すると共に、生成した移動経路をゴルフコース画像上に重畳させて表示部３に表示させる。
【００３７】
撮像・収音制御部２４は、撮像部４及び音声入力部５による撮像及び収音の開始／終了を制御する。撮像・収音制御部２４は、例えば、プレイヤーによる操作部６の操作に基づき、撮像部４及び音声入力部５による撮像及び／又は収音の開始／終了を行う。尚、撮像及び／又は収音の開始／終了は、これに限られず、例えば、記録再生装置１の電源ＯＮ／ＯＦＦに応じて常時行ってもよい。
【００３８】
記録制御部２５は、撮像及び収音により得られたＡＶデータの記録部７に対する記録を制御する。また、ゴルフコースデータ及びゴルフスコアデータを記録部７に記録する場合、記録制御部２５は、これらのデータの記録部７に対する記録を制御する。
【００３９】
情報取得部２６は、ＡＶデータを撮像及び収音した場合に、撮像及び収音した地点における、移動経路処理部２３で生成された位置情報を取得し、この位置情報をＡＶデータに関連付ける処理を行う。
【００４０】
通信制御部２７は、所定のプロトコルに従い、通信部８で行われる外部のサーバとの通信制御を行う。
【００４１】
次に、上記構成を有する記録再生装置１の動作について説明する。本発明に係る記録再生装置１では、ゴルフをプレーした際に、ゴルフコース上の移動経路を取得すると共にプレー中のＡＶデータを記録し、取得した移動経路及びＡＶデータが記録されたことをゴルフコース画像上に表示する。
【００４２】
まず、記録再生装置１によるＡＶデータの記録方法について説明する。この記録再生装置１では、ＡＶデータをプレイヤーの操作に基づいて手動で記録する方法と、自動的に記録する方法とのいずれかの方法を用いることができる。また、ＡＶデータを自動的に記録する場合には、常時記録してプレイヤーが指定する所定の部分を抽出して記録する方法と、特徴を検出した部分を抽出して記録する方法とのいずれかの方法を用いることができる。以下では、各々の方法を用いてＡＶデータを記録する場合について、順次説明する。
【００４３】
（１）ＡＶデータを手動で記録する場合
図３は、ＡＶデータを手動で記録する場合の処理の流れについて説明するためのフローチャートを示す。まず、ステップＳ１において、ＡＶデータの記録を開始したいタイミングで、プレイヤーによって操作部６に設けられた記録開始キー等が操作されると、撮像部４は、制御部２０の撮像・収音制御部２４の制御に基づき、撮像素子に受光された光に基づく画像データ及び／又は映像データの記録を開始する。また、音声入力部５は、制御部２０の撮像・収音制御部２４の制御に基づき、周囲の音声を収音して音声データの記録を開始する。
【００４４】
一方、ＧＰＳ受信部９は、制御部２０の移動経路処理部２３の制御に基づき、ＡＶデータの記録を開始した地点のＧＰＳ信号をＧＰＳアンテナ９ａを介して受信し、受信したＧＰＳ信号を制御部２０に供給する（ステップＳ２）。
【００４５】
次に、ステップＳ３において、ＡＶデータの記録を終了したいタイミングで、ユーザによって操作部６に設けられた記録終了キー等が操作されると、撮像部４及び音声入力部５は、制御部２０の撮像・収音制御部２４の制御に基づき、画像データ、映像データ及び／又は音声データの記録を終了する。そして、撮像部４及び音声入力部５は、取得した画像データ、映像データ及び／又は音声データからなるＡＶデータを制御部２０に供給する。
【００４６】
次に、制御部２０の情報取得部２６は、ＧＰＳ受信部９から供給されたＧＰＳ信号に基づき移動経路処理部２３で生成された位置情報と、撮像部４及び音声入力部５から供給されたＡＶデータとを関連付ける（ステップＳ４）。そして、ステップＳ５において、記録制御部２５は、位置情報が関連付けられたＡＶデータを、記録部７に記録する。
【００４７】
（２）ＡＶデータを自動的に記録する場合
（２−１）プレイヤーによる指定区間を抽出して記録する場合
図４は、ＡＶデータを自動的に記録し、プレイヤーによって指定された区間を抽出して記録する場合の処理の流れについて説明するためのフローチャートを示す。まず、ステップＳ１１において、プレイヤーによる操作部６に対する操作により記録再生装置１の電源がＯＮとされると、撮像部４及び音声入力部５は、撮像・収音制御部２４の制御に基づき、ＡＶデータの記録を開始する。
【００４８】
一方、ＧＰＳ受信部９は、制御部２０の移動経路処理部２３の制御に基づき、ＡＶデータの記録を開始した地点のＧＰＳ信号をＧＰＳアンテナ９ａを介して受信すると共に、所定のタイミングで定期的にＧＰＳ信号を受信する。そして、ＧＰＳ受信部９は、定期的に受信したＧＰＳ信号を制御部２０に供給する（ステップＳ１２）。
【００４９】
次に、ステップＳ１３において、プレイヤーによる操作部６に対する操作により、記録再生装置１の電源がＯＦＦとされると、撮像部４及び音声入力部５は、撮像・収音制御部２４の制御に基づき、ＡＶデータの記録を終了する。
【００５０】
次に、常時記録されたＡＶデータの中から、プレイヤーによる操作部６に対する操作により、所定区間のＡＶデータが抽出される（ステップＳ１４）と、制御部２０の情報取得部２６は、ステップＳ１２で制御部２０に対して定期的に供給されたＧＰＳ信号のうち、抽出されたＡＶデータ（以下「抽出ＡＶデータ」という。）の先頭部分が記録された地点に最も近い地点のＧＰＳ信号に基づき移動経路処理部２３で生成された位置情報を、抽出ＡＶデータに関連付ける（ステップＳ１５）。
【００５１】
ここで、抽出ＡＶデータに位置情報を関連付ける場合には、例えば、ＡＶデータの記録開始時に計時部１０で計時された時間と、ＡＶデータの記録開始時間から抽出ＡＶデータの先頭部分までの経過時間とから、抽出ＡＶデータの先頭部分の時間（記録開始時間）を算出する。そして、算出された抽出ＡＶデータの記録開始時間に最も近い時間に取得したＧＰＳ信号に基づく位置情報を、当該抽出ＡＶデータに関連付ける。
【００５２】
そして、ステップＳ１６において、記録制御部２５は、位置情報が関連付けられた抽出ＡＶデータを、記録部７に記録する。
【００５３】
（２−２）特徴を検出した部分を抽出して記録する場合
図５は、ＡＶデータを自動的に記録し、特徴を検出した場合に、当該検出区間を抽出して記録する場合の処理の流れについて説明するためのフローチャートを示す。まず、ステップＳ２１において、プレイヤーによる操作部６に対する操作により記録再生装置１の電源がＯＮとされると、撮像部４及び音声入力部５は、撮像・収音制御部２４の制御に基づき、ＡＶデータの記録を開始する。
【００５４】
次に、ステップＳ２２において、制御部２０は、所定の要領で特徴を検出したか否かを判断する。特徴を検出した場合（ステップＳ２２；Ｙｅｓ）、ＧＰＳ受信部９は、制御部２０の移動経路処理部２３の制御に基づき、検出した地点のＧＰＳ信号をＧＰＳアンテナ９ａを介して受信し、制御部２０に供給する（ステップＳ２３）。尚、特徴の検出方法については、後述する。一方、特徴を検出しない場合（ステップＳ２２；Ｎｏ）には、処理がステップＳ２７に移行する。
【００５５】
次に、ステップＳ２４において、制御部２０は、常時記録されたＡＶデータから、特徴を検出した時点の前後のデータを抽出する。
【００５６】
次に、制御部２０の情報取得部２６は、ＧＰＳ受信部９から供給されたＧＰＳ信号に基づき移動経路処理部２３で生成された位置情報と抽出ＡＶデータとを関連付ける（ステップＳ２５）。ステップＳ２６において、記録制御部２５は、位置情報が関連付けられた抽出ＡＶデータを、記録部７に記録する。
【００５７】
そして、ステップＳ２７において、プレイヤーによる操作部６に対する操作により、記録再生装置１の電源がＯＦＦとされると、撮像部４及び音声入力部５は、撮像・収音制御部２４の制御に基づき、ＡＶデータの記録を終了する。
【００５８】
ここで、特徴の検出方法について説明する。この例における特徴としては、例えば、スイングや打撃音、笑い声等を用いることができる。これらの特徴を検出する方法としては、周知の方法を用いることができる。
【００５９】
例えば、スイングを検出する場合には、この記録再生装置１に対して、プレイヤーがスイングすることによって印加される加速度を検出する加速度センサを設け、加速度センサからの加速度情報に基づき、プレイヤーのスイングを検出することができる。
【００６０】
また、例えば、打撃音や笑い声を検出する方法としては、音声データ中に所定の音声波形が存在するか否かを解析する音声解析部を設け、音声入力部５で収音した音声データをの中に、打撃音や笑い声に相当する音声波形が存在する場合に、打撃音や笑い声を検出することができる。
【００６１】
次に、記録再生装置１による移動経路及びＡＶデータが記録されたことの表示について、図６に示すフローチャートを参照して説明する。尚、ここでは、記録再生装置１の電源がＯＮとされている間、ＡＶデータの記録が所定の要領で行われ、情報取得部２６によるＡＶデータに対する位置情報との関連付けが行われるものとする。
【００６２】
まず、移動経路処理部２３は、ＧＰＳ受信部９で受信したＧＰＳ信号に基づき、位置情報を定期的に取得する（ステップＳ３１）。
【００６３】
次に、移動経路処理部２３は、取得した位置情報に基づき、プレイヤーの移動経路を示す経路情報を生成する（ステップＳ３２）。
【００６４】
次に、表示制御部２２は、外部のサーバから受信したゴルフコースデータに基づきゴルフコース画像を生成し、生成したゴルフコース画像上に、移動経路処理部２３で生成したプレイヤーの経路情報に基づく移動経路を重畳させた画像を生成して表示部３に表示させる（ステップＳ３３）（図７参照）。
【００６５】
次に、表示制御部２２は、撮像・収音されたＡＶデータが記録部７に記録されているか否かを判断する（ステップＳ３４）。ＡＶデータが記録されている場合（ステップＳ３４；Ｙｅｓ）には、記録部７に記録されたＡＶデータに関連付けられた位置情報に基づき、ＡＶデータが記録されていることを示す情報を移動経路上に表示させる（ステップＳ３５）（図７参照）。
【００６６】
ここで、移動経路上には、例えば参照符号Ｘで示すように、「データがあります」等、文字によってＡＶデータが記録されていることを示す情報を表示してもよい。また、文字による表示に限られず、例えば、参照符号Ｙで示すように、ＡＶデータのサムネイル画像を表示してもよい。この場合のサムネイル画像は、例えば、記録部７にＡＶデータを記録する際に、ＡＶデータから最初のフレーム画像等の所定のフレーム画像を抽出してサムネイル画像とする。
【００６７】
また、記録再生装置１では、この記録再生装置１を携帯するプレイヤーや一緒にプレーする他のプレイヤーのゴルフスコアを記録することもできる。ゴルフスコアは、例えば、プレイヤーが操作部６を操作することによって記録する。ゴルフスコアは、例えば、通信制御部２７を介して外部のサーバに記録してもよいし、記録部７に記録してもよい。
【００６８】
また、ゴルフスコアの記録は、これに限られず、例えば、記録再生装置１がスイングを検出する機能を有する場合には、スイングを検出した際に、スコアを自動的に記録してもよい。
【００６９】
このようにしてゴルフスコアが記録されると、表示制御部２２は、記録されたゴルフスコアデータに基づいてゴルフスコア画像を生成し、表示部３に表示させる。
【００７０】
尚、本実施の形態による記録再生装置１では、上述のようにゴルフスコアを記録することも可能であるため、図７に示す移動経路上に、スイングした地点を併せて表示してもよい。
【００７１】
次に、ＡＶデータの再生について、図８に示すフローチャートを参照して説明する。
【００７２】
まず、表示制御部２２は、表示部３にゴルフコース画像を表示させる（ステップＳ４１）と共に、表示されたゴルフコース画像上に、プレイヤーの移動経路及びＡＶデータが記録されたことを示す情報を重畳させて表示させる（ステップＳ４２）。
【００７３】
次に、プレイヤーによる操作部６に対する操作に基づき、所定のＡＶデータが選択されたか否かが判断される（ステップＳ４３）。所定のＡＶデータが選択された場合（ステップＳ４３；Ｙｅｓ）には、選択されたＡＶデータ表示に対応するＡＶデータが再生される（ステップＳ４４）。一方、ＡＶデータが選択されない場合（ステップＳ４３；Ｎｏ）には、一連の処理が終了する。
【００７４】
以上のように、本実施の形態によれば、ゴルフコース画像上にプレイヤーの移動経路を重畳させて表示すると共に、ＡＶデータが記録されたことを併せて表示するため、過去のプレーの際の移動経路や、どのようなプレイヤーと一緒にプレーしてどのようなことが起きたか等、過去のプレーの際の出来事等を容易に想起することができる。また、移動経路の表示と共にゴルフスコアを記録するため、スコアの原因等を容易に想起することができる。
【００７５】
以上、本発明の実施の形態について説明したが、本発明は、上述した本発明の実施の形態に限定されるものではなく、本発明の要旨を逸脱しない範囲内で様々な変形や応用が可能である。上述の例では、プレイヤーが操作部６を操作したりスイングを検出することによってゴルフスコアを記録するように説明したが、これに限られず、例えば、音声によってゴルフスコアを記録してもよい。具体的には、プレイヤーが発声したスコアやパット数等を音声入力部５によって収音し、収音された音声を撮像・収音制御部２４で解析してゴルフスコアデータを生成する。
【００７６】
さらに、例えば、この記録再生装置１に電子コンパス、湿度センサ、光度センサ、気圧センサ、傾斜センサ、振動センサ等の各種センサを設け、これらの各種センサからの情報をゴルフスコアを記録する際に用いることもできる。
【００７７】
また、上述では、ゴルフのプレー時を例にとって説明したが、これに限られず、例えば、旅行やレジャー等における移動経路を地図上に表示すると共に、移動経路上にＡＶデータが記録されたことを示す表示を行うような場合にも適用可能である。
【符号の説明】
【００７８】
１  記録再生装置
２  装置本体
３  表示部
４  撮像部
５  音声入力部
６  操作部
７  記録部
８  通信部
９  ＧＰＳ受信部
９ａ  ＧＰＳアンテナ
１０  計時部
２０  制御部
２１  入力制御部
２２  表示制御部
２３  移動経路処理部
２４  撮像・収音制御部
２５  記録制御部
２６  情報取得部
２７  通信制御部
【図１】
2015217010.tif 000003
【図２】
2015217010.tif 000004
【図３】
2015217010.tif 000005
【図４】
2015217010.tif 000006
【図５】
2015217010.tif 000007
【図６】
2015217010.tif 000008
【図７】
2015217010.tif 000009
【図８】
2015217010.tif 000010